(57)【特許請求の範囲】
【請求項１】
複数の土嚢が並べて積み上げ施工された積み上げ土嚢構造体であって、多数の土嚢を列設した土嚢群が多列に集まってなり、下土嚢群とその上に配設された上土嚢群とにおいて、下土嚢群を構成する各土嚢と上土嚢群を構成する各土嚢とが結束ベルトにより上下交互に水平方向に結束されており、
土嚢は土嚢用袋体と 該土嚢用袋体の側面及び底面に一部が縫着部を介して縫着された吊りベルトとよりなるものであり、
結束ベルトは、下土嚢群を構成する各土嚢の吊りベルトに巻回されており、上土嚢群を構成する各土嚢の吊りベルトには結び付けられていることを特徴とする積み上げ土嚢構造体。
【請求項２】
結束ベルトは、下土嚢群の土嚢の１つに対して、上土嚢群の土嚢の二つに結束されていることを特徴とする請求項１記載の積み上げ土嚢構造体。
【請求項３】
複数の土嚢が並べて積み上げ施工された積み上げ土嚢構造体であって、多数の土嚢を列設した土嚢群が多列に集まってなり、下土嚢群とその上に配設された上土嚢群とにおいて、下土嚢群を構成する各土嚢と上土嚢群を構成する各土嚢とが結束ベルトにより上下交互に水平方向に結束されており、
土嚢群における複数の土嚢よりなる第１１複数土嚢グループと、土嚢群における複数の土嚢よりなる第２複数土嚢グループとが、それぞれ個別に水平用結束ベルトで周囲を結束されており、しかも第１複数土嚢グループの一部の土嚢と第２複数土嚢グループの一部の土嚢とが共通に結束されていることを特徴とする積み上げ土嚢構造体。
【請求項４】
一部の土嚢が一個の土嚢である請求項３記載の積み上げ土嚢構造体。
【請求項５】
結束ベルトは、下土嚢群を構成する各土嚢の水平用結束ベルトに巻回されており、上土嚢群を構成する各土嚢の吊りベルトには結び付けられている請求項３記載の積み上げ土嚢構造体。
【発明の詳細な説明】
【技術分野】
【０００１】
本発明は、河川、海岸等の土嚢を使った護岸工事に関するもので、更に詳しくは、護岸工事において、背面土圧や背面水圧による転倒及び前方への滑動を十分に防止することができる積み上げ土嚢構造体に関する。
【背景技術】
【０００２】
従来、海岸、河川、湖、池等での土木工事の施工において各所で土嚢が多く用いられている。
かかる土嚢は、一般に、土嚢用の袋体の中に、小石、砂利等の中詰め材が充填されてできており、重量もある。
【０００３】
このような土嚢用の袋体としては、中詰め材が投入される基布袋体と、該基布袋体に取り付けられた吊上げのための吊りベルトとを有し、少なくとも１年の経時後の紫外線による強度劣化に相当する分の強度を、前もって余分に与えてある土木用土嚢が知られている（例えば、特許文献１）。
【０００４】
ところが、これらの土木用土嚢は、工事施工後、背面からの土砂や水による圧力（背面土圧、背面水圧）を受けて、個々の土嚢が前方に転倒する場合がある。
そうすると、土砂や水が漏れるばかりか、場合によっては積み上げた土嚢全体が崩れる恐れがある。
【０００５】
このようなことから、土嚢を連結して一体化する技術が開発されている。
その例として、基布袋体に吊りベルトが縫着され、吊りベルトが連結ロープを取り付けるためのループ状の連結部を有し、該連結部に連結ロープが挿通された土木用土嚢がある（例えば、特許文献２参照）。
この場合、積み上げた土嚢において、連結ロープが上下方向、或いは水平方向に渡されて多数の土嚢が一体化されている。
また、他の例として、複数個の土嚢用袋体が一本の結束ベルトにより、吊りベルトの部分を介して横方向に結束されている立体土嚢集合体もある（例えば、特許文献３参照）。
【先行技術文献】
【特許文献】
【０００６】
【特許文献１】特開２００７−１６５８５号公報
【特許文献２】特開２００８−６３７６７号公報
【特許文献３】特開２０１３−２４１８１６号公報
【発明の概要】
【発明が解決しようとする課題】
【０００７】
しかしながら、上述した特許文献２に記載の土木用土嚢は、連結ロープが連結部に挿通されているので、背面土圧や背面水圧による土嚢の転倒は抑制されるものの、何かの原因で、連結ロープが切断された場合、全体の拘束が断たれ、個々の土嚢に崩れが生じ易い。
上下方向には各土嚢が連結部を介して連結ロープの挿通により上下に連結しているので、前方への滑りが生じ易い。
特に、上下方向に直線的に連結しているところから前方への滑りが大きくなる欠点がある。
この前方への滑りについては、上記特許文献３に土嚢用袋体においても同様なことがいえる。
【０００８】
本発明は、上記事情に鑑みてなされたものであり、背面土圧や背面水圧による転倒及び前方への滑動を十分に防止することができる積み上げ土嚢構造体を提供することを目的とする。
【課題を解決するための手段】
【０００９】
本発明者等は、上記課題を解決するため鋭意検討したところ、結束ベルトで上下の複数の土嚢を上下交互に水平方向に結束していくことにより、上記の問題点を解決できることを見出し、この知見により、本発明を完成させるに至った。
【００１０】
本発明は、（１）、複数の土嚢１が並べて積み上げ施工された積み上げ土嚢構造体Ａであって、多数の土嚢１を列設した土嚢群が多列に集まってなり、下土嚢群Ａ１とその上に配設された上土嚢１群Ａ１とにおいて、下土嚢群Ａ１を構成する各土嚢１と上土嚢群Ａ１を構成する各土嚢１とが結束ベルト２により上下交互に水平方向に結束されており、土嚢１は土嚢用袋体１０と 該土嚢用袋体１０の側面１０Ａ及び底面１０Ｂに一部が縫着部１１Ａを介して縫着された吊りベルト１１とよりなるものであり、結束ベルト２は、下土嚢群Ａ１を構成する各土嚢１の吊りベルト１１に巻回されており、上土嚢群Ａ１を構成する各土嚢１の吊りベルト１１には結び付けられている積み上げ土嚢構造体Ａに存する。
【００１３】
本発明は、（２）、結束ベルト２は、下土嚢群Ａ１の土嚢１の１つに対して、上土嚢群Ａ１の土嚢１の二つに結束されている上記（１）記載の積み上げ土嚢構造体Ａに存する。
【００１４】
本発明は、（３）、複数の土嚢１が並べて積み上げ施工された積み上げ土嚢構造体Ａであって、多数の土嚢１を列設した土嚢群Ａ１が多列に集まってなり、下土嚢群Ａ１とその上に配設された上土嚢１群Ａ１とにおいて、下土嚢群Ａ１を構成する各土嚢１と上土嚢群Ａ１を構成する各土嚢１とが結束ベルト２により上下交互に水平方向に結束されており、群Ａ１における複数の土嚢１よりなる第１複数土嚢グループＸ１と、土嚢群Ａ１における複数の土嚢１よりなる第２複数土嚢グループＸ２とが、それぞれ個別に水平用結束ベルト２Ａで周囲を結束されており、しかも第１土嚢グループＸ１の一部の土嚢１と第２複数土嚢グループＸ２の一部の土嚢１とが共通に結束されている積み上げ土嚢構造体Ａに存する。
【００１５】
本発明は、（４）、一部の土嚢１が一個の土嚢１である上記（３）記載の積み上げ土嚢構造体Ａに存する。
【００１６】
本発明は、（５）、結束ベルト２は、下土嚢群Ａ１を構成する各土嚢１の水平用結束ベルト２Ａに巻回されており、上土嚢群Ａ１を構成する各土嚢１の吊りベルト１１には結び付けられている上記（３）記載の積み上げ土嚢構造体Ａに存する。
【発明の効果】
【００１７】
１）本発明の積み上げ土嚢構造体Ａは、複数の土嚢１が並べて積み上げ施工された積み上げ土嚢構造体Ａであって、多数の土嚢１を列設した土嚢群Ａ１が多列に集まってなり、下土嚢群Ａ１とその上に配設された上土嚢１群Ａ１とにおいて、下土嚢群Ａ１を構成する各土嚢１と上土嚢群Ａ１を構成する各土嚢１とが結束ベルト２により交互に水平方向に結束されているので、背面土圧や背面水圧による転倒及び前方への滑動を十分に防止することができる。
【００１８】
２）土嚢１は土嚢用袋体１０と 該土嚢用袋体１０の側面１０Ａ及び底面１０Ｂに一部が縫着部１１Ａを介して縫着された吊りベルト１１とよりなるものであるので、この吊りベルト１１を介して結束ベルト２により土嚢同士を容易に結束することができる。
【００１９】
３）結束ベルト２は、下土嚢群Ａ１を構成する各土嚢１の吊りベルト１１に巻回されており、上土嚢群Ａ１を構成する各土嚢１の吊りベルト１１には結び付けられているので、上下の土嚢１をより強固に結束することができる。
【００２０】
４）結束ベルト２は、下土嚢群Ａ１の土嚢１の一つに対して、上土嚢群Ａ１の土嚢１の二つに結束されているので、上土嚢１群Ａ１のズレによる応力が下土嚢１群Ａ１に分散される。
【００２１】
５）土嚢群Ａ１における複数の土嚢１よりなる第１複数土嚢１グループＸ１と、土嚢群Ａ１における複数の土嚢１よりなる第２複数土嚢１グループＸ２とが、それぞれ別々に水平用結束ベルト２Ａで周囲を結束されており、しかも第１土嚢グループＸ１の一部の土嚢１と第２複数土嚢グループＸ２の一部の土嚢１とが共通に結束されているので単独の土嚢１同士がズレ難く、また結束ベルト２が切断しても、グループＸ内の土嚢１に影響が及ぶだけであり、他のグループ内の土嚢１には影響が全く波及しない。
そして、周囲が結束されているので、布地の一部に応力が集中することが、極力、回避される。
【００２２】
６）一部の土嚢１が一個の土嚢１であるので、結束ベルト２の長さを極力短くすることができる。
【００２３】
７）結束ベルト２は、下土嚢群Ａ１を構成する各土嚢１の水平用結束ベルト２Ａに巻回されており、上土嚢群Ａ１を構成する各土嚢１の吊りベルト１１には結び付けられているので、背面土圧や背面水圧による転倒及び前方への滑動を十分に防止することができる。
更に単独の土嚢１同士がズレ難く、また、結束ベルト２が切断しても、グループＸ内の土嚢１に影響が及ぶだけであり、他のグループ内の土嚢１には影響が全く波及しない利点がある。
【図面の簡単な説明】
【００２４】
【図１】図１は、単独の土嚢を示した概略図であり、（Ａ）は斜視図、（Ｂ）は平面図、（Ｃ）は底面図である。
【図２】図２は、本実施形態の積み上げ土嚢構造体を示す概略斜視図である。
【図３】図３は、本実施形態の積み上げ土嚢構造体の土嚢群を構成する複数土嚢グループを示す概略斜視図である。
【図４】図４は、本実施形態の積み上げ土嚢構造体における一体化された状態の第１複数土嚢グループと第２複数土嚢グループとを示す概略斜視図である。
【図５】図５は、本実施形態の積み上げ土嚢構造体における２つの複数土嚢グループを模式的に示す平面図である。
【図６】図６は、複数土嚢グループを構成する土嚢が５つで、共通する土嚢が１つの場合を模式的に示す例である。
【図７】図７は、各複数土嚢グループを構成する土嚢が４つと５つで、共通する土嚢が２つの場合を模式的に示す例である。
【図８】図８は、各複数土嚢グループを構成する土嚢が５つと５つで、共通する土嚢が２つの場合を模式的に示す例である。
【図９】図９は、本実施形態の別の例の積み上げ土嚢構造体を示す概略斜視図である。
【図１０】図１０は、本実施形態の更に別の例の積み上げ土嚢構造体を模式的に示す概略斜視図である。
【発明を実施するための形態】
【００２５】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２６】
（第１の実施の形態）
本実施形態に係る積み上げ土嚢構造体Ａは、複数の土嚢１を並べて積み上げ施工された積み上げ土嚢構造体Ａである。
そして、この積み上げ土嚢構造体Ａは、多数の土嚢１を列設した土嚢群Ａ１が多列に集まってなり、下土嚢群Ａ１とその上に配設された上土嚢群Ａ１とにおいて、下土嚢群Ａ１を構成する各土嚢１と上土嚢群Ａ１を構成する各土嚢１とが結束ベルト２により上下交互に水平方向に結束されている。
積み上げ土嚢構造体自体は、通常、袋詰め玉石工(パワフルユニット)による基礎工事の上に、積み上げ施工されてなるものであり、主として河川、海岸、山法面等の堰堤(えんてい)として形成される。
そして、積み上げ土嚢構造体Ａを構成する個々の土嚢１は、土嚢用袋体１０の内部に一定量の中詰め材が充填されてなる。
ここで、中詰め材としては例えば、土砂、砂利、石材、コンクリート片等の公知のものが用いられる。
【００２７】
本発明の積み上げ土嚢構造体Ａは、土嚢用袋体１０に中詰め材が充填された土嚢１が多数積み上げられて構築されているので、最初に、この積み上げ土嚢構造体Ａを構成する単位である単独の土嚢１について述べる。
【００２８】
(単独の土嚢)
図１は、単独の土嚢１を示した概略図であり、（Ａ）は斜視図、（Ｂ）は平面図、及び（Ｃ）は底面図である。
図に示すように、本土嚢１は、土嚢用袋体１０に中詰め材（図示略）を充填したものであり、このように中詰め材を充填した状態では円筒状となっている。
【００２９】
この土嚢用袋体１０は布製で、その周囲に吊りベルト１１が取り付けられており、この吊りベルト１１は、その一部が土嚢用袋体１０を構成する布地に縫着部１１Ａ（縫着部１１Ａを覆うように縫着部カバー１２が取り付けられている）を介して縫着されている。
詳しくは、吊りベルト１１は土嚢用袋体１０の側面１０Ａにおいては、縫着部カバー１２の内側が縫着部１１Ａとなっており、それ以外の部分は土嚢用袋体１０に縫着されない非縫着部である。
なお、土嚢用袋体１０の周囲において９０度の間隔で吊りベルト１１が備わっているが、この吊りベルト１１は、取り付けた状態ではエンドレス状となっている。
【００３０】
そして縫着されていない部分（すなわち非縫着部）においては、袋体の布地と離隔しているため,吊りベルトはフリーであり自由に動くことができる。
また、土嚢用袋体１０の底部１０Ｂにおいても吊りベルト２の一部が縫着されている。
詳しくは吊りベルト１１は、土嚢用袋体１０の底部１０Ｂにおいて、十字状の吊りベルトの外周寄りが土嚢用袋体１０に縫着された縫着部１１Ａ（ここでは４カ所）となっており、それ以外の部分は非縫着部となっている。
【００３１】
土嚢用袋体１０の布地は、合成繊維からなり、立体的に広がると有底円筒状となるように縫製される。
そして、上述したように、土嚢用袋体１０の内部に中詰め材が充填され、その口部を封じることにより図に示すような円筒状の土嚢１となる。
なお、口部を封じる方法としては、特に限定されないが、例えば、口縛りロープを用いて縛る方法が挙げられる。
【００３２】
土嚢用袋体１０の布地の材質としては、特に限定されないが、ポリエステル、ポリプロピレン、ポリエチレン、ポリアミド等が用いられる。
これらの中でも、耐久性及びリサイクルのし易さの観点から、ポリプロピレンであることが好ましい。
【００３３】
土嚢用袋体１０においては、反射剤又は紫外線吸収剤が含まれていることが好ましい。この場合、紫外線による土嚢用袋体１０の劣化を抑制することができる。
なお、反射剤としては、カーボンブラック、酸化鉄、酸化クロム、酸化鉛、酸化亜鉛、酸化マグネシウム、酸化チタン、炭酸カルシウム、硫酸バリウム等が挙げられ、紫外線吸収剤としては、フェニルサリシレート系、ヒドロキシベンゾフェノン系、ベンゾトリアゾール系等の吸収剤が挙げられる。
【００３４】
土嚢用袋体１０において、ＪＩＳ−Ｌ１０９６に準じた引張強度が２４０Ｎ／ｃｍ以上であり、且つＪＩＳ−Ａ１２１８に準じた透水性が１．０×１０−２ｃｍ／ｓ以上であることが好ましい。
この場合、背面土圧又は背面水圧により、基布袋体１が破れることを十分抑制でき、且つ中詰め材からの応力にも耐えることが可能となる。
【００３５】
一方、吊りベルト１１の材質としては、特に限定されないが、ポリエステル、ポリプロピレン、ポリエチレン、ポリアミド等が用いられる。
これらの中でも、吊りベルト１１の材質は、耐久性及びリサイクルのし易さの観点から、ポリプロピレンであることが好ましい。
【００３６】
吊りベルト１１においては、反射剤又は紫外線吸収剤が含まれていることが好ましく、この場合、紫外線による吊りベルト２の劣化を抑制することができる。
【００３７】
（積み上げ土嚢構造体Ａ）
上述したような構成の土嚢１が多数個積み上げられて且つ結束され、積み上げ土嚢構造体Ａが形成されているが、次に、この積み上げ土嚢構造体Ａについて述べる。
【００３８】
図２は、本実施形態の積み上げ土嚢構造体Ａを示す概略斜視図である。
積み上げ土嚢構造体Ａは、図では３段に積み上げられており、積み上げのベースである第１段目には、７個の土嚢１よりなる土嚢群Ａ１が前後方向に４列に配設されている。
ここで土嚢群Ａ１は、土嚢１が列設された、すなわち土嚢１が列状に配設されたものをいう。
第１段目の上の第２段目には、同じく７個の土嚢１よりなる土嚢群Ａ１が前後方向（図でいう手前側が前）に３列に載置されている。
すなわち下土嚢群Ａ１(第１段目の土嚢１個数２８よりなる)の上に上土嚢群Ａ１(第２段目の土嚢１個数２１よりなる)が積み上げられている。
【００３９】
また、第２段目の上の第３段目には、同じく７個の土嚢１よりなる土嚢群Ａ１が前後方向に２列に載置されている。
すなわち下土嚢群Ａ１(第２段目の土嚢１個数２１よりなる)の上に上土嚢群Ａ１(第３段目の土嚢個数１４よりなる)が積み上げられている。
【００４０】
以上により、全体（第１段目の土嚢１個数２８、第２段目の土嚢１個数２１、第３段目の土嚢１個数１４）で計６３個の土嚢１が配設されて積み上げ土嚢構造体Ａが形成されている。
このように、積み上げ土嚢構造体Ａは、多数の土嚢１を列設した土嚢群Ａ１が多列に集まってなるものであるが、下土嚢群Ａ１とその上に配設された上土嚢１群Ａ１とにおいて、下土嚢１群Ａ１を構成する各土嚢１と上土嚢群Ａ１を構成する各土嚢１とが結束ベルト２により上下交互に水平方向に結束されているところが大きな特徴である。
【００４１】
ここで結束ベルト２（例えば幅１０ｃｍ）は、一定の長さにカットされて両側が自由端となっており、吊りベルト１１に対し巻回や結び付けが容易に行える。
例えば、第１段目の第４番目（図でいう手前左側からの番目で示し、以下同様）の土嚢１に着目すると、その土嚢１の吊りベルト１１に巻回した結束ベルト２は、その後上方にある第２段目の第３番目の土嚢１の吊りベルト１１に結ばれている。
また、この結束ベルト２は、その後上方にある第２段目の第４番目の土嚢１の吊りベルト１１にも結ばれている。
このように、結束ベルト２は、Ｖ字状に結束された状態、すなわち下土嚢群Ａ１の土嚢１の一つに対して、上土嚢群Ａ１の土嚢１の二つに結束されていることになり、下土嚢群Ａ１のズレ止めの応力が上土嚢群Ａ１に分散される。
【００４２】
ここで結束ベルト２の長さは、少なくともこのＶ字状に結束するだけの単位長さが必要である。
次に、第１段目の第５番目の土嚢１に着目すると、その吊りベルト１１に巻回した結束ベルト２は、その後上方にある第２段目の第４番目の土嚢１の吊りベルト１１に結ばれている。
また、結束ベルト２は、その後上方にある第２段目の第５番目の土嚢１の吊りベルト１１にも結ばれている。
この場合も、結束ベルト２はＶ字状に結束された状態となる。
【００４３】
以下、第１段目と第２段目の土嚢１とは、同様に上下交互に水平方向に結束ベルト２により結束されており、ジグザグ状に延びた状態となっているのが図から理解できよう。
また、第２段目と第３段目の土嚢１も、上述した第１段目と第２段目の土嚢１の場合と同様に結束ベルト２により結束されている。
このような結束は、土嚢１を積み上げた状態において行うこともできるが、積み上げの途中の作業中に行うこともできる。
本発明の積み上げ土嚢構造体Ａは、このように、上下にある土嚢１が上下交互に水平方向に結束されているので、上下で結束された土嚢群Ａ１は、前方に移動するのを極力阻止されることとなる。
【００４４】
(土嚢グループ)
ところで、上述した積み上げ土嚢構造体Ａにおいて、個々の土嚢間での移動を少なくするために土嚢群Ａ１をグループに分けて結束しておくことが有効である。
すなわち土嚢群Ａ１を構成する土嚢１の内、複数個の土嚢１をグループ化し、そのグループ化した土嚢グループＸ（第１複数土嚢グループＸ１と第２複数土嚢１グループＸ２）同士を一体化するのである。
以下、この土嚢グループＸについて説明する。
【００４５】
図３は、本実施形態の積み上げ土嚢構造体Ａの土嚢群Ａ１を構成する複数土嚢グループＸを示す概略斜視図である。
複数の土嚢１が水平用結束ベルト２Ａより一つのグループＸとなって一体に結束されている。
この複数の土嚢１を水平に並べた複数土嚢グループＸが列状に一体に結束され、それが繰り返しの基本単位となっている。
この図の例では、４個の土嚢１が水平に並べられて周囲を結束されて一体化され、一つの複数土嚢グループＸが形成されている。
そして、水平用結束ベルト２Ａは各土嚢１の吊りベルト１１に巻回されながらグループの周囲を一体に結束している。
従って、土嚢同士のズレが生じにくく、グループとして一体に強く結束された状態となる。
【００４６】
図４は、本実施形態の積み上げ土嚢構造体Ａにおける一体化された状態の第１複数土嚢グループＸ１と同様な状態の第２複数土嚢グループＸ２とを示す概略斜視図である。
複数土嚢グループＸ１は、別の複数土嚢グループＸ２と結束されている。
具体的には、例えば、第１複数土嚢グループＸ１と第２複数土嚢グループＸ２とを用意して、この第１複数土嚢グループＸ１及び第２複数土嚢グループＸ２を構成する土嚢１が共通となるように水平用結束ベルト２Ａで周囲を結束する。
すなわち、第１複数土嚢グループＸ１の一部の土嚢１と第２複数土嚢グループＸ２の一部の土嚢１とを共通に結束するのである。
この図の例では、４個の土嚢１よりなる第１複数土嚢グループＸ１の右端部に位置する１個の土嚢１と、同じく４個の土嚢１よりなる第２複数土嚢グループＸ２の左端部に位置する１個の土嚢１とを共通に結束する。
【００４７】
図５は、本実施形態の積み上げ土嚢構造体Ａにおける２つの複数土嚢グループＸを模式的に示す平面図である。
この図の場合は、複数土嚢グループＸを構成する土嚢１が４つで、共通する土嚢１が１つの場合を示す例である。
第１複数土嚢グループＸ１を構成する土嚢１は４つであり、第２複数土嚢グループＸ２を構成する土嚢１も４つである。
そして、第１複数土嚢グループＸ１を構成する土嚢１のうち右端部に位置する土嚢１と、第２複数土嚢グループＸ２を構成する土嚢１のうち左端部に位置する土嚢１を共通にするように水平用結束ベルト２Ａで結束する。
【００４８】
具体的には、例えば、第１複数土嚢グループＸ１を構成する４つの土嚢１を列状に配置し結束し、その後、その延長方向に第２複数土嚢グループＸ２を構成する４つの土嚢１を列状に配置し、真ん中に位置する一つの土嚢１（斜線で表示）を共通するように結束する。
ここで、水平用結束ベルト２Ａの長さＬは、連結固定する土嚢１の数によって異なるが、土嚢用袋体１０の直径Ｄ（例えば１．１ｍ）、土嚢１の個数Ｎ（例えば４個）とすると、Ｌ＝（Ｎ−１）×Ｄ＋Ｄπ＋αとなる。
尚、αは吊りベルトに固定するために使用する長さである。
【００４９】
図６は、複数土嚢グループＸを構成する土嚢１が５つで、共通する土嚢１が１つの場合を模式的に示す例である。
この場合、第１複数土嚢グループＸ１構成する土嚢１は５つであり、第２複数土嚢１グループＸ２を構成する土嚢１も５つである。
そして、第１複数土嚢グループＸ１を構成する土嚢１のうち右端部に位置する土嚢１と、第２複数土嚢グループＸ２を構成する土嚢１のうち左端部に位置する土嚢１を共通にするように水平用結束ベルト２Ａで結束する。
具体的には、例えば、第１複数土嚢グループＸ１を構成する土嚢１を列状に配置し結束し、その後、その延長方向に第２複数土嚢グループＸ２を構成する土嚢１を列状に配置し、中央に位置する一つの土嚢１（斜線で表示）を共通するように結束する。
【００５０】
図７は、各複数土嚢グループＸ１を構成する土嚢１が４つと５つで、共通する土嚢１が２つの場合を模式的に示す例である。
この場合、第１複数土嚢グループＸ１を構成する土嚢１は４つであり、第２複数土嚢グループＸ２を構成する土嚢１は５つである。
そして、第１複数土嚢グループＸ１を構成する土嚢１のうち右端部に位置する土嚢１とその左に位置する土嚢１と、第２複数土嚢グループＸ２を構成する土嚢１のうち左端部に位置する土嚢１とその右に位置する土嚢１とを共通にするように水平用結束ベルト２Ａで結束する。
具体的には、例えば、第１複数土嚢グループＸ１を構成する土嚢１を列状に配置し結束し、その後、その延長方向に第２複数土嚢グループＸ２を構成する土嚢１を列状に配置し、２つの土嚢１（斜線で表示）を共通するように結束する。
【００５１】
図８は、各複数土嚢グループＸを構成する土嚢１が５つと５つで、共通する土嚢１が２つの場合を模式的に示す例である。
この場合、第１複数土嚢グループＸ１を構成する土嚢１は５つであり、第２複数土嚢グループＸ２を構成する土嚢１は５つである。
そして、第１複数土嚢グループＸ１を構成する土嚢１のうち右端部に位置する土嚢１とその左に位置する土嚢１と、第２複数土嚢グループＸ１を構成する土嚢１のうち左端部に位置する土嚢１とその右に位置する土嚢１とを共通にするように水平用結束ベルト２Ａで結束する。
具体的には、例えば、第１複数土嚢グループＸ１を構成する土嚢１を列状に配置し結束し、その後、その横に第２複数土嚢グループＸ２を構成する土嚢１を列状に配置し、中央に位置する２つの土嚢１（斜線で表示）を共通するように結束する。
次に積み上げ土嚢構造体Ａについて述べる。
【００５２】
図９は、本実施形態の別の例の積み上げ土嚢構造体Ａを、模式的に示す概略斜視図である。
これは、図２の場合と同じように上下の土嚢１が結束されているが、異なるところは、更に複数（４つ）の土嚢１を列設した状態で水平用結束ベルト２Ａで一体に結束された複数土嚢１グループＸとなっている。
そして、二つの複数土嚢グループＸにおいて、それらを構成する４個の土嚢１の内、１個の土嚢１が共通になるように結束されている。
すなわち、第１複数土嚢グループＸ１の一部(１個)の土嚢１と第２複数土嚢グループＸの一部(１個)の土嚢１とを共通に結束されている。
このようにすることで、列状に配設された個々の土嚢１同士の移動が起きにくくなり、且つ複数土嚢グループ同士もの離れることなく、全体が頑丈となる。
【００５３】
第１の実施の形態のように、上下方向に連結することで、前方への崩れを防止することができ、更に、この実施の形態のように、複数土嚢１グループＸとして列設した状態で結束することで、個々の土嚢１の動きの自由度をグループＸごとに押さえることができる。
しかも第１複数土嚢グループＸ１の一部(１個)の土嚢１と第２複数土嚢グループＸ２の一部(１個)の土嚢１とが共通に結束されているので、このような結束を繰り返すことにより、土嚢１グループＸが次々に連続して一体化され、その延長が容易に行われることとなる。
すなわち、土嚢群Ａ１が長い場合は、第１複数土嚢グループＸ１と第２複数土嚢グループＸ２に加え、更に第３複数土嚢グループ・・・として逐次、延長されていくことになり、しかも全体が頑丈なものとなる。
【００５４】
図１０は、本実施形態の更に別の例の積み上げ土嚢構造体Ａを模式的に示す概略斜視図である。
この積み上げ土嚢構造体Ａも図９の例と同じように、積み上げ土嚢構造体Ａは、多数の土嚢１を列設した土嚢群Ａ１が多列に集まってなるものであり、下土嚢群Ａ１とその上に配設された上土嚢１群Ａ１とにおいて、下土嚢１群Ａ１を構成する各土嚢１と上土嚢群Ａ１を構成する各土嚢１とが結束ベルト２により上下交互に水平方向に結束されているものである。
【００５５】
この場合、結束ベルト２は、下段の土嚢１の縦方向の吊りベルト１１ではなくて、水平方向の結束ベルト２Ａに結束にされている（この場合、水平用結束ベルト２Ａの略中間位置）。
なお、結束ベルト２は、上段の土嚢１には、縦方向の吊りベルト１１に結束されている。
結束ベルト２は、縦方向の吊りベルト１１や水平用結束ベルト２Ａに結束にされる場合、結束としては、巻回する方法や、結び付ける方法等がある。
【００５６】
ここで、図示しないが、結束ベルト２は、吊りベルト１１と水平用結束ベルト２Ａとの交差点（すなわち下段の土嚢１の縦方向の吊りベルト１１と水平用結束ベルト２Ａの交差点）に結束されていても当然良い。
【００５７】
以上、本発明の好適な実施形態について説明したが、本発明は上述した実施形態に限定されるものではない。
例えば、積み上げの形態は、図２や図９で示した以外にも、種々の積み上げ方が可能であり、積み上げ土嚢構造体Ａを構成する土嚢１の総数が６３個の場合で説明したが、各段の土嚢１の数を増やして全体を大きくすることも当然、可能である。
【００５８】
また、吊りベルト１１や水平用結束ベルト２Ａに結束ベルト２を巻回する場合、一巻でも或いは多数巻きでも可能であり、また、吊りベルト１１に結束ベルト２を結ぶ場合、その結び方は容易に解けない限り、自由である。
また、結束ベルト２や水平用結束ベルト２Ａは、２重、３重と多重にしても良い。
また、例えば本実施形態に係る土嚢用袋体１０において側面１０Ａに取り付けられている吊りベルトは４本で示したが、これに限定されない。
【産業上の利用可能性】
【００５９】
本発明に係る積み上げ土嚢構造体Ａは、多数の土嚢１を列設した土嚢群Ａ１が多列に集まってなり、下土嚢群Ａ１とその上に配設された上土嚢群Ａ１とにおいて、下土嚢群Ａ１を構成する各土嚢１と上土嚢群Ａ１を構成する各土嚢１とが結束ベルト２により上下交互に水平方向に結束されているので、背面土圧や背面水圧を受けて転倒及び前方への滑動を十分に防止することができる。
そのため、この原理を使用する限り、護岸工事の他、山等の法面の工事等を含む工事に広く適用が可能である。
【符号の説明】
【００６０】
１・・・土嚢
１０Ａ・・・側面
１０Ｂ・・・底面
１１・・・吊りベルト
１１Ａ・・・縫着部
１２・・・縫着部カバー
２・・・結束ベルト
２Ａ・・・水平用結束ベルト
Ａ・・・積み上げ土嚢構造体
Ａ１・・・土嚢群
Ｘ・・・複数土嚢グループ
Ｘ１・・・第１複数土嚢グループ
Ｘ２・・・第２複数土嚢グループ
【図１】
0006594154.tif 000002
【図２】
0006594154.tif 000003
【図３】
0006594154.tif 000004
【図４】
0006594154.tif 000005
【図５】
0006594154.tif 000006
【図６】
0006594154.tif 000007
【図７】
0006594154.tif 000008
【図８】
0006594154.tif 000009
【図９】
0006594154.tif 000010
【図１０】
0006594154.tif 000011